(57)【要約】【課題】      本格的な音響システムを採用しなくても、音割れが無く、臨場感のある爆発音をスピーカー出力することができる爆発音データ波形の生成方法並びに爆発音の出力方法及び出力装置を提供する。【解決手段】  実爆発音データ波形又は擬似爆発音データ波形において、所定の振幅値を超えている区間について、所定の振幅値又はそれより小さい振幅値を有するスリット状波形を複数個連続させた置換波形に置き換えする加工処理を行なう。【選択図】    図２
2005099596.tif 000002
【特許請求の範囲】
【請求項１】
実爆発音データ波形又は実爆発音データ波形を模して生成された擬似爆発音データ波形を加工処理して、スピーカーで出力するための出力用爆発音データ波形を生成する爆発音データ波形の生成方法であって、
前記実爆発音データ波形又は前記擬似爆発音データ波形において所定の振幅値を超えている区間について、前記加工処理により、前記所定の振幅値又はそれより小さい振幅値を有するスリット状波形を複数個連続させた置換波形に置き換えすることを特徴とする爆発音データ波形の生成方法。
【請求項２】
前記出力用爆発音データ波形における前記置換波形の区間長さは、置き換えられる元の波形の区間と同じ長さに設定されていることを特徴とする請求項１に記載の爆発音データ波形の生成方法。
【請求項３】
前記実爆発音データ波形は、自動車エンジンの排気音であることを特徴とする請求項１又は２に記載の爆発音データ波形の生成方法。
【請求項４】
実爆発音データ波形又は実爆発音データ波形を模して生成された擬似爆発音データ波形を加工処理して生成され、スピーカーで出力するための出力用爆発音データ波形を記憶手段に記憶させ、
前記記憶手段から前記出力用爆発音データ波形を読出手段により読み出し、
前記読出手段により読み出された前記出力用爆発音データ波形を増幅手段で増幅させ、
前記増幅手段により増幅された前記出力用爆発音データ波形をスピーカーで出力する爆発音の出力方法であって、
前記出力用爆発音データ波形は、前記実爆発音データ波形又は前記擬似爆発音データ波形において所定の振幅値を超えている区間が、前記所定の振幅値又はそれより小さい振幅値を有するスリット状波形を複数個連続させた置換波形で置き換えられたものであることを特徴とする爆発音の出力方法。
【請求項５】
前記出力用爆発音データ波形における前記置換波形の区間長さは、置き換えられる元の波形の区間と同じ長さに設定されていることを特徴とする請求項４に記載の爆発音の出力方法。
【請求項６】
前記実爆発音データ波形は、自動車エンジンの排気音であることを特徴とする請求項４又は５に記載の爆発音の出力方法。
【請求項７】
実爆発音データ波形又は実爆発音データ波形を模して生成された擬似爆発音データ波形を加工処理することで生成され、スピーカーで出力するための出力用爆発音データ波形が記憶される記憶手段と、
前記記憶手段から前記出力用爆発音データ波形を読み出す読出手段と、
前記読出手段により読み出された前記出力用爆発音データ波形を増幅する増幅手段と、
前記増幅手段により増幅された前記出力用爆発音データ波形を出力するスピーカーと、
を備えてなる爆発音の出力装置であって、
前記出力用爆発音データ波形は、前記実爆発音データ波形又は前記擬似爆発音データ波形において所定の振幅値を超えている区間が、前記所定の振幅値又はそれより小さい振幅値を有するスリット状波形を複数個連続させた置換波形で置き換えられたものであることを特徴とする爆発音の出力装置。
【請求項８】
前記出力用爆発音データ波形における前記置換波形の区間長さは、置き換えられる元の波形の区間と同じ長さに設定されていることを特徴とする請求項７に記載の爆発音の出力装置。
【請求項９】
前記実爆発音データ波形は、自動車エンジンの排気音であることを特徴とする請求項７又は８に記載の爆発音の出力装置。
【発明の詳細な説明】
【技術分野】
【０００１】
本発明は、自動車排気音等の爆発音をスピーカーで出力させるために使用されるスピーカー出力用の爆発音データ波形の生成方法、並びにこのような爆発音をスピーカーから出力させる爆発音の出力方法及び出力装置に関する。
【背景技術】
【０００２】
従来、自動車の運転シミュレーションゲーム機やモーターショー等の展示車両の効果音として、擬似的に生成された自動車排気音のデータ波形を、音響システムのスピーカーから出力することが行なわれている（例えば、特許文献１参照）。このような効果音は、実際に録音された自動車排気音のデータ波形や実際の自動車排気音のデータ波形を模した擬似データ波形を、スピーカー出力に適した形式に加工処理してメモリーに予め記憶しておき、出力させようとするときに、メモリーから適宜読み出し、音響システムに搭載されるアンプで増幅し、スピーカーで出力されるものである。
【特許文献１】特開平８−４４３８３号公報
【発明の開示】
【発明が解決しようとする課題】
【０００３】
しかしながら、自動車排気音は爆発音の一種であるため、実際に録音された排気音データ波形やこれを模した擬似排気音データ波形は、ピーク値付近（爆発の前後）における振幅値が、ピーク値付近以外の振幅値に比べて著しく大きい。したがって、実際の排気音データ波形やこれを単純に模した擬似排気音データ波形のプロフィールをそのまま利用して、スピーカー出力用の排気音データ波形を生成した場合、出力容量の小さいアンプやスピーカーでは、ピーク値付近の音が割れてしまうという問題がある。また、ピーク値付近の音がアンプやスピーカーの出力容量内に収まるように増幅率を設定した場合、ピーク値付近以外の音量レベルが小さくなりすぎて、臨場感に欠けるという問題がある。
【０００４】
もちろん、出力容量の大きいアンプやスピーカーを備えた本格的な音響システムを採用すれば、音量レベルを小さく抑えなくても、ピーク値付近の音を音割れなく出力することができ、また、ピーク値付近以外の音も十分に表現されて臨場感が確保される。ところが、実際には、コスト面、スペース面その他の理由から、本格的な音響システムの採用が難しい場合が多い。例えば、テレビゲーム機で排気音を出力させる場合には、接続されるテレビに備えられるスピーカーを使用することが一般的で、本格的な音響システムを採用することは現実的ではない。
【０００５】
本発明は、斯かる実情に鑑み、本格的な音響システムを採用しなくても、音割れが無く、臨場感のある爆発音をスピーカー出力することができる爆発音データ波形の生成方法並びに爆発音の出力方法及び出力装置を提供する。
【課題を解決するための手段】
【０００６】
本発明の請求項１の発明は、実爆発音データ波形又は実爆発音データ波形を模して生成された擬似爆発音データ波形を加工処理して、スピーカーで出力するための出力用爆発音データ波形を生成する爆発音データ波形の生成方法であって、
前記実爆発音データ波形又は前記擬似爆発音データ波形において所定の振幅値を超えている区間について、前記加工処理により、前記所定の振幅値又はそれより小さい振幅値を有するスリット状波形を複数個連続させた置換波形に置き換えすることを特徴とする爆発音データ波形の生成方法を提供する。
【０００７】
本発明の請求項２の発明は、前記出力用爆発音データ波形における前記置換波形の区間長さは、置き換えられる元の波形の区間と同じ長さに設定されていることを特徴とする請求項１に記載の爆発音データ波形の生成方法を提供する。
【０００８】
本発明の請求項３の発明は、前記実爆発音データ波形は、自動車エンジンの排気音であることを特徴とする請求項１又は２に記載の爆発音データ波形の生成方法を提供する。
【０００９】
本発明の請求項４の発明は、実爆発音データ波形又は実爆発音データ波形を模して生成された擬似爆発音データ波形を加工処理して生成され、スピーカーで出力するための出力用爆発音データ波形を記憶手段に記憶させ、
前記記憶手段から前記出力用爆発音データ波形を読出手段により読み出し、
前記読出手段により読み出された前記出力用爆発音データ波形を増幅手段で増幅させ、
前記増幅手段により増幅された前記出力用爆発音データ波形をスピーカーで出力する爆発音の出力方法であって、
前記出力用爆発音データ波形は、前記実爆発音データ波形又は前記擬似爆発音データ波形において所定の振幅値を超えている区間が、前記所定の振幅値又はそれより小さい振幅値を有するスリット状波形を複数個連続させた置換波形で置き換えられたものであることを特徴とする爆発音の出力方法を提供する。
【００１０】
本発明の請求項５の発明は、前記出力用爆発音データ波形における前記置換波形の区間長さは、置き換えられる元の波形の区間と同じ長さに設定されていることを特徴とする請求項４に記載の爆発音の出力方法を提供する。
【００１１】
本発明の請求項６の発明は、前記実爆発音データ波形は、自動車エンジンの排気音であることを特徴とする請求項４又は５に記載の爆発音の出力方法を提供する。
【００１２】
本発明の請求項７の発明は、実爆発音データ波形又は実爆発音データ波形を模して生成された擬似爆発音データ波形を加工処理することで生成され、スピーカーで出力するための出力用爆発音データ波形が記憶される記憶手段と、
前記記憶手段から前記出力用爆発音データ波形を読み出す読出手段と、
前記読出手段により読み出された前記出力用爆発音データ波形を増幅する増幅手段と、
前記増幅手段により増幅された前記出力用爆発音データ波形を出力するスピーカーと、
を備えてなる爆発音の出力装置であって、
前記出力用爆発音データ波形は、前記実爆発音データ波形又は前記擬似爆発音データ波形において所定の振幅値を超えている区間が、前記所定の振幅値又はそれより小さい振幅値を有するスリット状波形を複数個連続させた置換波形で置き換えられたものであることを特徴とする爆発音の出力装置を提供する。
【００１３】
本発明の請求項８の発明は、前記出力用爆発音データ波形における前記置換波形の区間長さは、置き換えられる元の波形の区間と同じ長さに設定されていることを特徴とする請求項７に記載の爆発音の出力装置を提供する。
【００１４】
本発明の請求項９の発明は、前記実爆発音データ波形は、自動車エンジンの排気音であることを特徴とする請求項７又は８に記載の爆発音の出力装置を提供する。
【発明の効果】
【００１５】
本発明の請求項１〜９に記載の爆発音データ波形の生成方法並びに爆発音の出力方法及び出力装置によれば、以下のような優れた効果を奏し得る。実爆発音データ波形又は実爆発音データ波形を模して生成された擬似爆発音データ波形を加工処理して、スピーカーで出力するための出力用爆発音データ波形を生成する際に、所定の振幅値を超えるピーク付近の波形を、前記所定の振幅値以下の小さいスリット状波形からなる置換波形に置き換えるため、爆発音を出力容量の小さいアンプやスピーカーで出力する場合でも、ピーク付近の音割れを生じることなく、かつ、ピーク付近以外の音の臨場感を維持できる。しかも、置換波形は、スリット状波形を複数個連続させたものであるので、振動エネルギー量は、実爆発音データ波形やこれを模して生成した擬似爆発音データ波形と同等レベル以上を確保することが可能となって、迫力感が損なわれることもないものである。
【００１６】
特に、請求項２、５及び８に記載の爆発音データ波形の生成方法並びに爆発音の出力方法及び出力装置によれば、出力用爆発音データ波形においてスリット状波形を複数個連続させる区間の長さが、置き換えられる元の波形の区間と同じ長さに設定されているので、スピーカーから出力される爆発音を聴取する者に殆ど違和感を与えることがない。
【発明を実施するための最良の形態】
【００１７】
以下、本発明の実施の形態を、添付図面を参照しつつ説明する。図１及び図２は、本発明の実施形態の一例を示す図であって、図１は、本実施形態に係る自動車排気音の発生装置の概要を示すブロック図、図２の（ａ）は、実際に録音された自動車排気音データ波形Ｗ１を示す図、（ｂ）は、（ａ）の自動車排気音データ波形Ｗ１から高周波成分が除去された状態を示す図、（ｃ）は、（ｂ）の波形について、所定の振幅値Ａを超える区間Ｔの波形が、連続する複数個のスリット状波形Ｓに置き換えられた波形（スピーカー出力用の自動車排気音データ波形Ｗ２）を示す図である。
【００１８】
本実施形態に係る自動車排気音の発生装置１は、図１に示されるように、スピーカー出力用の自動車排気音データ波形（以下、「出力用データ波形」という。）Ｗ２が記憶されるメモリー２と、メモリー２から出力用データ波形Ｗ２を読み出す読出手段３と、読出手段３により読み出された出力用データ波形Ｗ２を増幅する増幅手段としてのアンプ４と、アンプ４により増幅された出力用データ波形を出力するスピーカー５とを備えてなる。
【００１９】
メモリー２には、出力用データ波形Ｗ２が記憶されているが、これは、実際に録音された自動車排気音データ波形Ｗ１（図２（ａ））を、シンセサイザー等の波形処理装置で加工処理することにより生成される。この加工処理では、まず、図２（ｂ）に示されるように、実際の自動車排気音データ波形Ｗ１に含まれる高周波成分を低周波フィルターにより除去する。そして、図２（ｃ）に示されるように、所定の振幅値Ａを超えるタイム区間Ｔの波形Ｘを、振幅値Ａを有する複数個のスリット状波形Ｓからなる置換波形Ｃで置き換える。
【００２０】
スリット状波形Ｓの周期ｔは、タイム区間Ｔに対し十分小さく設定されており、タイム区間Ｔに対応する部分には、多数のスリット状波形Ｓを連続的に繰り返し配置することができる。例えば、スリット状波形Ｓの周期ｔを、タイム区間Ｔの６分の１の長さに設定した場合、出力用データ波形Ｗ２の区間Ｔに対応する部分は、６周期分のスリット状波形Ｓが連続的に繰り返し配置された置換波形Ｃで置き換えられることとなる。
【００２１】
所定の振幅値Ａは、出力用データ波形Ｗ２が、アンプ４により増幅され、又はスピーカー５により出力される際に、アンプ４又はスピーカー５の出力容量を超えることがないように決定される。すなわち、振幅値Ａは、出力用データ波形Ｗ２の増幅率及びアンプ４、スピーカー５の出力容量に応じて設定される。具体的には、アンプ４又はスピーカー５のうち小さい方の出力容量値を予定されるアンプ４の増幅倍率で除した値より、小さい値が設定されることとなる。
【００２２】
自動車排気音の発生装置１を作動させることにより、メモリー２から出力用データ波形Ｗ２を読出手段３により読み出し、読出手段３により読み出された出力用データ波形Ｗ２をアンプ４で増幅させ、アンプ４により増幅された擬似エンジン排気音データをスピーカー５で出力することができる。
【００２３】
なお、メモリー２に記憶される出力用データ波形Ｗ２は、１種類である必要はなく複数種類を記憶させておいても良い。例えば、自動車の運転シミュレーションゲーム機に、装置１が組み込まれるような場合には、エンジン回転数やアクセル操作量ごとに出力用データ波形Ｗ２を生成して記憶させておき、自動車の運転シミュレーションゲーム機におけるエンジン回転数やアクセル操作量を検知して、検知された情報に応じた出力用データ波形Ｗ２を、読出手段３により適宜読み出させて増幅し、スピーカー５から出力させることができるものである。
【００２４】
上記実施形態では、実際の自動車排気音データ波形から出力用データ波形を生成する場合について説明したが、これに限られるものではなく、本発明は、実際の自動車排気音データ波形を模した擬似自動車排気音データ波形から出力用データ波形を生成する場合に適用しても良い。なお、このような擬似自動車排気音データ波形は、プログラムにより自動的に生成することができる。また、本発明は、花火の爆発音からスピーカー出力用の花火爆発音データ波形を生成する等、様々な爆発音についてスピーカー出力用の爆発音データ波形を生成する場合に適用できるものである。
【００２５】
その他、本発明の爆発音データ波形の生成方法並びに爆発音の出力方法及び出力装置は、上記した実施の形態に限定されるものではなく、本発明の要旨を逸脱しない範囲内において種々変更を加え得ることは勿論である。
【図面の簡単な説明】
【００２６】
【図１】本実施形態に係る自動車排気音の発生装置の概要を示すブロック図。
【図２】（ａ）は、実際の自動車排気音データ波形を示す図、（ｂ）は、（ａ）の自動車排気音データ波形から高周波成分が除去された状態を示す波形を示す図、（ｃ）は、所定の振幅値を超える区間の波形が複数個のスリット状波形からなる置換波形に置き換えられた波形を示す図。
【符号の説明】
【００２７】
１      自動車排気音の発生装置
２      メモリー（記憶手段）
３      読出手段
４      アンプ（増幅手段）
５      スピーカー
Ｓ      スリット状波形
Ｗ１    実際の自動車排気音データ波形（実爆発音データ波形）
Ｗ２    出力用自動車排気音データ波形（出力用爆発音データ波形）
【図１】
2005099596.tif 000003
【図２】
2005099596.tif 000004